(57)【要約】【課題】  複数の光源からのレーザ光それぞれのビーム間隔を適切に設定することが容易な光ピックアップおよび光ディスク装置を提供する。【解決手段】  光ピックアップの受光素子が第１、第２の光源から出射され、光分割素子で３つに分割される第１、第２の波長のサブビームを互いに異なる位置に集光される受光領域を有する。このため、受光素子上で第１、第２の波長それぞれでのサブビームの間隔を一致させる必要がなくなり、サブビームの間隔を光ディスク上、第１、第２の光源上で適宜に設定することが容易になる。【選択図】  図１
2005071505.tif 000002
【特許請求の範囲】
【請求項１】
第１の波長のレーザ光を出射する第１の光源と、
前記第１の光源から出射される第１の波長のレーザ光をメインビームと２つのサブビームに分割して出射する第１の光分割素子と、
前記第１の波長より長い第２の波長のレーザ光を出射する第２の光源と、
前記第２の光源から出射される第２の波長のレーザ光をメインビームと２つのサブビームに分割して出射する第２の光分割素子と、
前記第１、第２の光分割素子から出射される前記第１、第２の波長のレーザ光をそれぞれ入射し、略同一方向に出射する光合成素子と、
前記光合成素子から出射される前記第１、第２の波長のレーザ光を光ディスクに集光する第１のレンズと、
前記光ディスクからの反射される前記第１、第２の波長のレーザ光を集光する第２のレンズと、
前記第２のレンズで集光される第１、第２の波長のレーザ光それぞれを受光する受光素子であって、前記第１、第２の波長のメインビームに対応する第１の受光領域と、前記第１、第２の波長の２つのサブビームに対応し、かつ前記第１、第２の波長のサブビームが互いに異なる位置に集光される第２、第３の受光領域と、を有する受光素子と、
を具備することを特徴とする光ピックアップ。
【請求項２】
前記光ディスク上および前記受光素子上における前記第１の波長の２つのサイドビームの集光位置の間隔が前記第２の波長の２つのサイドビームの集光位置の間隔よりも狭い
ことを特徴とする請求項１記載の光ピックアップ。
【請求項３】
前記第２，第３の受光領域が、前記第１、第２の波長のサイドビームの集光位置それぞれを境界とする３つの領域にそれぞれ区分されている
ことを特徴とする請求項１記載の光ピックアップ。
【請求項４】
前記第２，第３の受光領域の３つの領域が、それぞれ２つの領域に区分されている
ことを特徴とする請求項３記載の光ピックアップ。
【請求項５】
前記第１の波長のレーザ光に対応する前記光ディスクがＤＶＤであり、前記第２の波長のレーザ光に対応する前記光ディスクがＣＤまたはＣＤ−Ｒである
ことを特徴とする請求項１記載の光ピックアップ。
【請求項６】
前記第１の波長のレーザ光が前記ＤＶＤへの記録または再生用であり、前記第２の波長のレーザ光が前記ＣＤ−Ｒへの記録用である
ことを特徴とする請求項５記載の光ピックアップ。
【請求項７】
第１の波長のレーザ光を出射する第１の光源と、
前記第１の波長より長い第２の波長のレーザ光を出射する第２の光源と、
前記第１、第２の光源から出射される前記第１、第２の波長のレーザ光をそれぞれ入射し、略同一方向に出射する光合成素子と、
前記光合成素子から出射される第１、第２の波長のレーザ光それぞれをメインビームと２つのサブビームに分割して出射する光分割素子と、
前記光分割素子から出射される前記第１、第２の波長のレーザ光を光ディスクに集光する第１のレンズと、
前記光ディスクからの反射される前記第１、第２の波長のレーザ光を集光する第２のレンズと、
前記第２のレンズで集光される第１、第２の波長のレーザ光それぞれを受光する受光素子であって、前記第１、第２の波長のメインビームに対応する第１の受光領域と、前記第１、第２の波長の２つのサブビームに対応し、かつ前記第１、第２の波長のサブビームが互いに異なる位置に集光される第２、第３の受光領域と、を有する受光素子と、
を具備することを特徴とする光ピックアップ。
【請求項８】
第１の波長のレーザ光を出射する第１の光源と、
前記第１の光源から出射される第１の波長のレーザ光をメインビームと２つのサブビームに分割して出射する第１の光分割素子と、
前記第１の波長より長い第２の波長のレーザ光を出射する第２の光源と、
前記第２の光源から出射される第２の波長のレーザ光をメインビームと２つのサブビームに分割して出射する第２の光分割素子と、
前記第１、第２の光分割素子から出射される前記第１、第２の波長のレーザ光をそれぞれ入射し、略同一方向に出射する光合成素子と、
前記光合成素子から出射される前記第１、第２の波長のレーザ光を光ディスクに集光する第１のレンズと、
前記光ディスクからの反射される前記第１、第２の波長のレーザ光を集光する第２のレンズと、
前記第２のレンズで集光される第１、第２の波長のレーザ光それぞれを受光する受光素子であって、前記第１、第２の波長のメインビームに対応する第１の受光領域と、前記第１、第２の波長の２つのサブビームに対応し、かつ前記第１、第２の波長のサブビームが互いに異なる位置に集光される第２、第３の受光領域と、を有する受光素子と、
を具備することを特徴とする光ディスク装置。
【請求項９】
第１の波長のレーザ光を出射する第１の光源と、
前記第１の波長より長い第２の波長のレーザ光を出射する第２の光源と、
前記第１、第２の光源から出射される前記第１、第２の波長のレーザ光をそれぞれ入射し、略同一方向に出射する光合成素子と、
前記光合成素子から出射される第１、第２の波長のレーザ光それぞれをメインビームと２つのサブビームに分割して出射する光分割素子と、
前記光分割素子から出射される前記第１、第２の波長のレーザ光を光ディスクに集光する第１のレンズと、
前記光ディスクからの反射される前記第１、第２の波長のレーザ光を集光する第２のレンズと、
前記第２のレンズで集光される第１、第２の波長のレーザ光それぞれを受光する受光素子であって、前記第１、第２の波長のメインビームに対応する第１の受光領域と、前記第１、第２の波長の２つのサブビームに対応し、かつ前記第１、第２の波長のサブビームが互いに異なる位置に集光される第２、第３の受光領域と、を有する受光素子と、
を具備することを特徴とする光ディスク装置。
【発明の詳細な説明】
【技術分野】
【０００１】
本発明は、光ピックアップおよび光ディスク装置に関する。
【背景技術】
【０００２】
光ディスクへの記録、再生の際に、トラッキングエラー信号等の生成のためにレーザ光を３つ（メインビームと２つのサイドビーム）に分割する場合がある。この場合、分割されたレーザ光それぞれに対応する受光領域を有する受光素子を用い、それぞれの受光領域からの信号を演算することでトラッキングエラー信号を生成する。
ここで、光ディスク装置には、ＣＤ（Compact Disc）、ＤＶＤ（Digital Versatile Disc）等の複数種別の光ディスク（光記録媒体）の記録、再生を可能とするため、複数の光源を備えるものがある。
このため、複数の光源を用いてトラッキングエラー信号を検出する技術が開示されている（特許文献１参照）。
【特許文献１】特開平２００２−１５７７６５号公報。
【発明の開示】
【発明が解決しようとする課題】
【０００３】
ところで、ＤＶＤとＣＤ双方での記録、再生を効率よく行うためには、ＤＶＤ、ＣＤ双方で２つのサイドビーム間の間隔（以下、「ビーム間隔」という）を適切に設定する必要があるが、以下（１）〜（３）を考慮するとこれは必ずしも容易ではない。
（１）ＤＶＤとＣＤの双方で受光素子上でのビーム間隔を一致させる必要がある（受光素子の受光領域に対応するため）。
（２）ＤＶＤとＣＤでは光ディスク上で適切なビーム間隔が異なる（ＤＶＤとＣＤのトラックピッチの相違に起因）。
（３）ＤＶＤとＣＤの双方で戻り光（光源に戻った光ディスクからの反射光）の光源上でのビーム間隔を光源のサイズより大きくすることが好ましい（戻り光の光源での再反射による光ディスクと光源間でのレーザ光の干渉（トラッキングエラー信号のＳ／Ｎ比低下の１要因）を防止するため）。
以上のように、受光素子上、光ディスク上、光源上それぞれでのビーム間隔全てをＤＶＤ、ＣＤの双方で適切に設定するのは困難である。
以上に鑑み、本発明は複数の光源からのレーザ光それぞれのビーム間隔を適切に設定することが容易な光ピックアップおよび光ディスク装置を提供することを目的とする。
【課題を解決するための手段】
【０００４】
Ａ．本発明に係る光ピックアップは、第１の波長のレーザ光を出射する第１の光源と、前記第１の光源から出射される第１の波長のレーザ光をメインビームと２つのサブビームに分割して出射する第１の光分割素子と、前記第１の波長より長い第２の波長のレーザ光を出射する第２の光源と、前記第２の光源から出射される第２の波長のレーザ光をメインビームと２つのサブビームに分割して出射する第２の光分割素子と、前記第１、第２の光分割素子から出射される前記第１、第２の波長のレーザ光をそれぞれ入射し、略同一方向に出射する光合成素子と、前記光合成素子から出射される前記第１、第２の波長のレーザ光を光ディスクに集光する第１のレンズと、前記光ディスクからの反射される前記第１、第２の波長のレーザ光を集光する第２のレンズと、前記第２のレンズで集光される第１、第２の波長のレーザ光それぞれを受光する受光素子であって、前記第１、第２の波長のメインビームに対応する第１の受光領域と、前記第１、第２の波長の２つのサブビームに対応し、かつ前記第１、第２の波長のサブビームが互いに異なる位置に集光される第２、第３の受光領域と、を有する受光素子と、を具備することを特徴とする。
【０００５】
受光素子が第１、第２の波長のサブビームが互いに異なる位置に集光される受光領域を有する。このため、受光素子上で第１、第２の波長それぞれで２つのサブビームのビーム間隔を一致させる必要がなくなり、ビーム間隔を光ディスク上、第１、第２の光源上で適宜に設定することが容易になる。
【０００６】
（１）ここで、前記光ディスク上および前記受光素子上における前記第１の波長の２つのサイドビームの集光位置の間隔が前記第２の波長の２つのサイドビームの集光位置の間隔よりも狭くてもよい。
第１の波長のレーザ光によって記録、再生される光ディスクが第２の波長のレーザ光によって記録、再生される光ディスクよりもトラックピッチが狭い場合に、光ディスク上でのビーム間隔をトラックピッチに対応させることが容易になる。
【０００７】
（２）前記第２，第３の受光領域が、前記第１、第２の波長のサイドビームの集光位置それぞれを境界とする３つの領域にそれぞれ区分されていてもよい。
第１、第２の波長のレーザ光それぞれについて、トラッキングエラー信号および非点収差信号の生成が可能となる。
【０００８】
ここで、前記第２，第３の受光領域の３つの領域が、それぞれ２つの領域に区分されていてもよい。
第１、第２の波長のレーザ光それぞれについて、差動非点収差信号の生成が可能となる。
【０００９】
（３）前記第１の波長のレーザ光に対応する前記光ディスクがＤＶＤであり、前記第２の波長のレーザ光に対応する前記光ディスクがＣＤまたはＣＤ−Ｒであってもよい。
例えば、第１、第２の波長を６５０ｎｍ、７８０ｎｍとすることでＤＶＤ、ＣＤ（ＣＤ−Ｒ含む）への記録等を行える。
【００１０】
ここで、前記第１の波長のレーザ光が前記ＤＶＤへの記録または再生用であり、前記第２の波長のレーザ光が前記ＣＤ−Ｒへの記録用であっても差し支えない。
光学系（特に倍率β）の制約が大きいＣＤ−Ｒへの記録用にも本発明を適用できる。
【００１１】
Ｂ．本発明に係る光ピックアップは、第１の波長のレーザ光を出射する第１の光源と、前記第１の波長より長い第２の波長のレーザ光を出射する第２の光源と、前記第１、第２の光源から出射される前記第１、第２の波長のレーザ光をそれぞれ入射し、略同一方向に出射する光合成素子と、前記光合成素子から出射される第１、第２の波長のレーザ光それぞれをメインビームと２つのサブビームに分割して出射する光分割素子と、前記光分割素子から出射される前記第１、第２の波長のレーザ光を光ディスクに集光する第１のレンズと、前記光ディスクからの反射される前記第１、第２の波長のレーザ光を集光する第２のレンズと、前記第２のレンズで集光される第１、第２の波長のレーザ光それぞれを受光する受光素子であって、前記第１、第２の波長のメインビームに対応する第１の受光領域と、前記第１、第２の波長の２つのサブビームに対応し、かつ前記第１、第２の波長のサブビームが互いに異なる位置に集光される第２、第３の受光領域と、を有する受光素子と、を具備することを特徴とする。
【００１２】
受光素子が第１、第２の波長のサブビームが互いに異なる位置に集光される受光領域を有する。このため、受光素子上で第１、第２の波長それぞれで２つのサブビームのビーム間隔を一致させる必要がなくなり、ビーム間隔を光ディスク上、第１、第２の光源上で適宜に設定することが容易になる。また、共通の光分割素子によって第１、第２の波長のレーザ光を分割していることから、部品点数の削減を図れる。
【００１３】
Ｃ．本発明に係る光ディスク装置は、第１の波長のレーザ光を出射する第１の光源と、前記第１の光源から出射される第１の波長のレーザ光をメインビームと２つのサブビームに分割して出射する第１の光分割素子と、前記第１の波長より長い第２の波長のレーザ光を出射する第２の光源と、前記第２の光源から出射される第２の波長のレーザ光をメインビームと２つのサブビームに分割して出射する第２の光分割素子と、前記第１、第２の光分割素子から出射される前記第１、第２の波長のレーザ光をそれぞれ入射し、略同一方向に出射する光合成素子と、前記光合成素子から出射される前記第１、第２の波長のレーザ光を光ディスクに集光する第１のレンズと、前記光ディスクからの反射される前記第１、第２の波長のレーザ光を集光する第２のレンズと、前記第２のレンズで集光される第１、第２の波長のレーザ光それぞれを受光する受光素子であって、前記第１、第２の波長のメインビームに対応する第１の受光領域と、前記第１、第２の波長の２つのサブビームに対応し、かつ前記第１、第２の波長のサブビームが互いに異なる位置に集光される第２、第３の受光領域と、を有する受光素子と、を具備することを特徴とする。
【００１４】
受光素子が第１、第２の波長のサブビームが互いに異なる位置に集光される受光領域を有する。このため、受光素子上で第１、第２の波長それぞれで２つのサブビームのビーム間隔を一致させる必要がなくなり、ビーム間隔を光ディスク上、第１、第２の光源上で適宜に設定することが容易になる。
【００１５】
Ｄ．本発明に係る光ディスク装置は、第１の波長のレーザ光を出射する第１の光源と、前記第１の波長より長い第２の波長のレーザ光を出射する第２の光源と、前記第１、第２の光源から出射される前記第１、第２の波長のレーザ光をそれぞれ入射し、略同一方向に出射する光合成素子と、前記光合成素子から出射される第１、第２の波長のレーザ光それぞれをメインビームと２つのサブビームに分割して出射する光分割素子と、前記光分割素子から出射される前記第１、第２の波長のレーザ光を光ディスクに集光する第１のレンズと、前記光ディスクからの反射される前記第１、第２の波長のレーザ光を集光する第２のレンズと、前記第２のレンズで集光される第１、第２の波長のレーザ光それぞれを受光する受光素子であって、前記第１、第２の波長のメインビームに対応する第１の受光領域と、前記第１、第２の波長の２つのサブビームに対応し、かつ前記第１、第２の波長のサブビームが互いに異なる位置に集光される第２、第３の受光領域と、を有する受光素子と、を具備することを特徴とする。
【００１６】
受光素子が第１、第２の波長のサブビームが互いに異なる位置に集光される受光領域を有する。このため、受光素子上で第１、第２の波長それぞれで２つのサブビームのビーム間隔を一致させる必要がなくなり、ビーム間隔を光ディスク上、第１、第２の光源上で適宜に設定することが容易になる。また、共通の光分割素子によって第１、第２の波長のレーザ光を分割していることから、部品点数の削減を図れる。
【発明の効果】
【００１７】
本発明によれば、複数の光源からのレーザ光それぞれのビーム間隔を適切に設定することが容易な光ピックアップおよび光ディスク装置を提供することができる。
【発明を実施するための最良の形態】
【００１８】
（第１実施形態）
図１は本発明の第１の実施形態に係る光ディスク装置１０を示す模式図である。
光ディスク装置１０は、光ピックアップ２０，光ピックアップ駆動部３０を備え、規格の異なる複数の光ディスクＤ（ＣＤ（Compact Disc）、ＤＶＤ（Digital Versatile Disc）等）への情報の記録、再生）（書き込み、読み出し）を行う。
光ピックアップ２０は、レーザダイオードＬＤ１，ＬＤ２、グレーティング２１、２２，カップリングレンズＬ１，ビームスプリッタＢＳ１，ＢＳ２、コリメータレンズＬ２、ミラーＭ、対物レンズＬ３、アクチュエータ２３，検出レンズＬ４、フォトダイオードＰＤを有し、光ディスクＤからの情報の読み出しを行う。
光ピックアップ駆動部３０は，光ピックアップ２０全体を移動（シーク等）するためのアクチュエータである。
【００１９】
レーザダイオードＬＤ１，ＬＤ２はそれぞれ、第１の波長（λ１）の第１のレーザ光、および第２の波長（λ２）の第２のレーザ光を出射するレーザ光源である。第１、第２の波長の例として、ＤＶＤの再生のための波長６５０ｎｍ、ＣＤの再生のための波長７８０ｎｍを挙げることができる。
【００２０】
グレーティング２１、２２はそれぞれ，入射する第１、第２のレーザ光それぞれを回折して、メインビーム（０次回折光）と２つのサイドビーム（±１次回折光）に分割するための回折格子であり、光分割素子として機能する。ビームを３つに分割することで、フォトダイオードＰＤでの差動プッシュプル信号（ＤＰＰ信号）の生成が可能となる。これをトラッキングエラー信号として用い、光ピックアップ２０のトラッキング制御を行える。
【００２１】
カップリングレンズＬ１は、レーザダイオードＬＤ２から出射された第２のレーザ光の発散角を調節するための光学素子である。
ビームスプリッタＢＳ１は、第１の波長のレーザ光については所定の偏光方向の光を通過し、この偏光方向と直交する偏光方向の光を反射すると共に、第２の波長のレーザ光については透過する光学素子であり、光合成素子として機能する。即ち、ビームスプリッタＢＳ１は、グレーティング２１およびビームスプリッタＢＳ２それぞれから入射する第１、第２のレーザ光を合成してコリメータレンズＬ２に入射させると共に、光ディスクＤで反射された第１、第２のレーザ光を透過するように設定されている。
ビームスプリッタＢＳ２は、第２の波長のレーザ光については所定の偏光方向の光を通過し、この偏光方向と直交する偏光方向の光を反射すると共に、第１の波長のレーザ光については透過する光学素子である。即ち、ビームスプリッタＢＳ２は、レーザダイオードＬＤ２から入射する第２のレーザ光を反射してビームスプリッタＢＳ１に入射させると共に、光ディスクＤで反射され、ビームスプリッタＢＳ１を透過した第１、第２のレーザ光を透過するように設定されている。
【００２２】
コリメータレンズＬ２は、ビームスプリッタＢＳ１から出射された第１、第２のレーザ光を平行光に変換し、光ディスクＤから反射された第１、第２のレーザ光を収束光に変換する光学素子である。
ミラーＭは、第１、第２のレーザ光の方向を変える光学素子である。
対物レンズＬ３は、第１、第２のレーザ光を光ディスクＤに集光し、光ディスクＤから反射されたレーザ光を平行光に変換するための光学素子である。
アクチュエータ２３は、対物レンズＬ３を前後方向および光ディスクＤの径方向に移動させ、第１、第２のレーザ光の焦点合わせ（フォーカシング）、スポット位置の調節（トラッキング）を行う。
検出レンズＬ４は、第１、第２のレーザ光をフォトダイオードＰＤに集光するための光学素子である。
【００２３】
フォトダイオードＰＤは、光ディスクＤで反射された第１、第２のレーザ光を検出し、光ディスクＤからの情報の読み出しを行うための受光素子である。
フォトダイオードＰＤは、第１、第２のレーザ光それぞれがグレーティング２１、２２によってメインビームと２つのサイドビームに分割されていることに対応して、これら３つのビームを独立に検出できるように検出領域が区分されている。３つのビームそれぞれを検出し、演算することで、差動プッシュプル法（ＤＰＰ法）によるトラッキングエラー信号（差動プッシュプル信号：ＤＰＰ信号）の生成がなされる。
【００２４】
図２は、フォトダイオードＰＤの受光面上の受光領域のパターンの１例を比較例と対比して表す模式図である。図２（Ａ）が本実施形態に対応し、図（Ｂ）が比較例である。このいずれでも非点収差法によるトラッキングエラー信号の生成が可能である。
図２（Ａ）に示されるように、本実施形態ではフォトダイオードＰＤの受光面Ａは第１、第２のレーザ光のメインビーム、２つのサイドビームにそれぞれ対応する受光領域Ａ１〜Ａ３を有する。さらに受光領域Ａ１は４つの受光領域Ａ１１〜Ａ１４に、受光領域Ａ２は３つの受光領域Ａ２１〜Ａ２３に、受光領域Ａ３は３つの受光領域Ａ３１〜Ａ３３にそれぞれ区分され、独立して受光量を検出できる。
【００２５】
受光領域Ａ１〜Ａ３それぞれに、第１、第２のレーザ光のメインスポットＳＰ１１、ＳＰ１２、第１、第２のレーザ光の第１のサイドスポットＳＰ２１、ＳＰ２２，第１、第２のレーザ光の第２のサイドスポットＳＰ３１、ＳＰ３２が形成される。
第１、第２のレーザ光のメインスポットＳＰ１１、ＳＰ１２は略同一の位置（受光領域Ａ１１〜Ａ１４の境界）に形成される。第１、第２のレーザ光の第１のサイドスポットＳＰ２１、ＳＰ２２は互いに異なる位置（サイドスポットＳＰ２１：受光領域Ａ２１、Ａ２２の境界、サイドスポットＳＰ２２：受光領域Ａ２２、Ａ２３の境界）に形成される。また、第１、第２のレーザ光の第２のサイドスポットＳＰ３１、ＳＰ３２も互いに異なる位置（サイドスポットＳＰ３１：受光領域Ａ３１、Ａ３２の境界、サイドスポットＳＰ３２：受光領域Ａ３２、Ａ３３の境界）に形成される。
【００２６】
図２（Ｂ）に示されるように、比較例ではフォトダイオードＰＤの受光面Ｂが第１、第２のレーザ光のメインビーム、２つのサイドビームにそれぞれ対応する受光領域Ｂ１〜Ｂ３を有する。さらに受光領域Ｂ１は４つの受光領域Ｂ１１〜Ｂ１４に、受光領域Ｂ２は２つの受光領域Ｂ２１〜Ｂ２２に、受光領域Ｂ３は２つの受光領域Ｂ３１〜Ｂ３２にそれぞれ区分される。第１、第２のレーザ光のメインスポットＳＰ１１、ＳＰ１２、第１のサイドスポットＳＰ２１、ＳＰ２２、第２のサイドスポットＳＰ３１、ＳＰ３２はそれぞれ、略同一の位置に形成される。
【００２７】
以上のように、本実施形態ではサイドビーム用の受光領域Ａ２，Ａ３を３分割しており、サイドビーム用の受光領域Ｂ２，Ｂ３を２分割する比較例と異なる。このため、第１、第２のレーザ光それぞれでのサイドスポットＳＰ２１、ＳＰ２２、ＳＰ３１、ＳＰ３２の間隔を互いに独立に決めることが可能である。この間隔は、第１、第２のレーザ光それぞれに対応するグレーティング２１、２２のピッチによって設定できる。
このようにすると、光ディスクＤ上、レーザダイオードＬＤ１，ＬＤ２上でのサイドスポットＳＰ２１，ＳＰ３１およびサイドスポットＳＰ２２，ＳＰ３２の間隔を適宜に設定することが容易になる。
【００２８】
本実施形態では第１のレーザ光のサイドスポットＳＰ２１、ＳＰ３１を第２のレーザ光のサイドスポットＳＰ２２、ＳＰ３２よりも外側になるように設定している。これは、第１のレーザ光に対応する光ディスクＤ（例えば、ＤＶＤ）と第２のレーザ光に対応する光ディスクＤ（例えば、ＣＤ、ＣＤ−Ｒ）それぞれのトラックピッチに対応させたためである。
レーザダイオードＬＤ１上でのサイドスポットＳＰ２１，ＳＰ３１の間隔を大きくして、レーザダイオードＬＤ１にサイドスポットＳＰ２１，ＳＰ３１が入射しないようにできる。また、レーザダイオードＬＤ２上でのサイドスポットＳＰ２２，ＳＰ３２の間隔を大きくして、レーザダイオードＬＤ２にサイドスポットＳＰ２２，ＳＰ３２が入射しないようにできる。
以上のように、第１、第２のレーザ光それぞれのサイドスポット間隔をそれぞれの光ディスクＤ（ＤＶＤ、ＣＤ）のトラック間隔に対応させ、しかもこれらのサイドスポットＳＰ２１〜Ｓ３２がレーザダイオードＬＤ１、ＬＤ２に入射しないようにすることが容易となる。
【００２９】
これに対して、比較例では以下のようになる。
（１）フォトダイオードＰＤの受光領域Ｂ１〜Ｂ３に対応するために、第１、第２のレーザ光のサイドスポットＳＰ２１，ＳＰ２２、サイドスポットＳＰ３１，ＳＰ３２を同一の位置に形成する必要があるため、サイドスポットＳＰ２１，ＳＰ３１の間隔と、サイドスポットＳＰ２２，ＳＰ３２の間隔とを同一にする必要がある。
【００３０】
（２）レーザダイオードＬＤ１，ＬＤ２それぞれと光ディスクＤとの間で第１、第２のレーザ光（特にサイドビーム）が反射を繰り返すと（レーザ光の干渉の発生）、トラッキングエラー信号のＳ／Ｎ比が低下する。レーザ光の干渉防止のためにはレーザダイオードＬＤ１，ＬＤ２にサイドビームが入射しないように、レーザダイオードＬＤ１，ＬＤ２上での戻り光のサイドスポットの間隔を大きくすることが望まれる。
このとき、光源上でのサイドスポットの間隔と光ディスク上でのサイドスポットの間隔に影響を与える要因として光学系の倍率βがある、光源上でのサイドスポットの間隔ｄｌと光ディスク上でのサイドスポットの間隔ｄｄはβ＝ｄｄ/ｄｌの関係で表わされる。ＤＶＤとＣＤでは光学系の倍率β（対物レンズの焦点距離をfo、コリメーターの焦点距離をfcとするとβ=fo/fc）を異ならせることが通例である（βの値は一般にＤＶＤの再生や記録ではβ１=１／５．０〜１／７．０程度、ＣＤＲではβ２＝１／３．５〜１／４．５程度である）。
この結果、レーザダイオードＬＤ１上でのサイドスポットＳＰ２１，ＳＰ３１の間隔はレーザダイオードＬＤ２上でのサイドスポットＳＰ２２，ＳＰ３２の間隔よりも大きくなる傾向にある。
【００３１】
（３）この状態で、レーザダイオードＬＤ１、ＬＤ２のいずれにもサイドビームが入射しないようにサイドスポットの間隔を設定することを考える。これは次の１）、２）のようにして行える。
１）狭い方のサイドスポットＳＰ２２，ＳＰ３２の間隔を基準に、サイドスポットの間隔を広げる。
２）狭い方のサイドスポットＳＰ２２，ＳＰ３２の間隔のみを広げるために、第２のレーザ光での光学系の倍率β２を大きくする。
【００３２】
しかし、１）、２）には次のような困難が生じる。
１）では、サイドスポットＳＰ２１，ＳＰ３１の間隔をも広げることになるが、第１のレーザ光に対応する光ディスクＤ（ＤＶＤ）のトラック間隔が狭いことから偏芯した光ディスクＤでのトラッキング信号の強度が低下し易くなる。即ち、第１のレーザ光に対応する光ディスクＤ（ＤＶＤ）でのトラックピッチが狭いために、サイドスポットＳＰ２１，ＳＰ３１の間隔を広げるのに限界がある。
２）では、倍率β２を大きくすると第２のレーザの光利用効率が悪くなり、高倍速記録への対応が困難になる可能性がある。
【００３３】
以上のように、比較例ではサイドスポットの間隔に制約が大きく、光ディスクＤ上、レーザダイオードＬＤ１，ＬＤ２上、フォトダイオードＰＤ上それぞれで適宜にサイドスポットの間隔を設定することは困難である。
これに対して本実施形態では、フォトダイオードＰＤ上で、第１のレーザ光ではサイドスポットを内側に、第２のレーザ光ではサイドスポットをより外側に配置することが可能となる。従い、光ディスクＤ上でも第１のレーザ光ではサイドスポットの間隔を狭く、第１のレーザ光ではサイドスポットの間隔を広くして、それぞれの光ディスクＤのトラック間隔に対応させることができる。
この結果、光ディスクＤからレーザダイオードＬＤ１，ＬＤ２上への戻り光（サイドスポット）の双方がレーザダイオードＬＤ１，ＬＤ２に入射しないようにすることが容易である。
【００３４】
本実施形態ではトラッキングエラー信号としてＤＰＰ信号を得ることができる。このとき、第１、第２のレーザ光のサイドスポットの位置の相違に対応して、次の式（１）、（２）に基づきＤＰＰ信号Ｓ１，Ｓ２を算出する。
第１のレーザ光：  Ｓ１ = {(Ｓ１１＋Ｓ１２)−(Ｓ１３＋Ｓ１４)}
−ｋ・{(Ｓ２２＋Ｓ２３＋Ｓ３１)−(Ｓ２１＋Ｓ３１＋Ｓ３２)}
……式（１）
第２のレーザ光：  Ｓ２ = {(Ｓ１１＋Ｓ１２)−(Ｓ１３＋Ｓ１４)}
−ｋ・{(Ｓ２３＋Ｓ３１＋Ｓ３２)−(Ｓ２１＋Ｓ２２＋Ｓ３３)}
……式（２）
ここで、Ｓｉｊ（ｉ、ｊ＝１〜３）は図２（Ａ）に示す受光領域Ａｉｊそれぞれに入射するレーザ光に対応する信号量を表し、ｋは定数である。
なお、非点収差方式によるフォーカスエラー信号Ｓｆは、第１、第２のレーザ光いずれでも次の式（３）により算出できる。
Ｓｆ＝（Ｓ１１＋Ｓ１３）−（Ｓ１２＋Ｓ１４）      ……式（３）
【００３５】
（光ピックアップ２０の動作）
光ピックアップ２０の再生動作を説明する。ここで、第１、第２のレーザ光は、光ディスクＤの種別等に応じてそのどちらか一方のみが出射されるのが通例であるが、判り易さのために第１、第２のレーザ光を対比して説明する。
【００３６】
（１）レーザダイオードＬＤ１から出射された第１のレーザ光は、グレーティング２１によって３つのビームに分割される。
一方、レーザダイオードＬＤ２から出射された第２のレーザ光は、グレーティング２２によって３つのビームに分割され、カップリングレンズＬ１によって分散角が調節されてビームスプリッタＢＳ２で反射される。
このように、グレーティング２１、２２によって、第１、第２のレーザ光それぞれを適切なビーム間隔で３分割することができる。例えば、第１のレーザ光のビーム間隔を大きく、第２のレーザ光のビーム間隔を小さくして、それぞれの光ディスクＤのトラックピッチに対応させ、しかも光ディスクＤからの戻り光（サイドビーム）がレーザダイオードＬＤ１、ＬＤ２に入射しない範囲とすることができる。
【００３７】
（２）グレーティング２１、ビームスプリッタＢＳ２それぞれから出射した第１、第２のレーザ光は、ビームスプリッタＢＳ１に入射する。第１のレーザ光はビームスプリッタＢＳ１で反射し、第２のレーザ光はビームスプリッタＢＳ１を透過することで、第１、第２のレーザ光は同一方向に出射する。
【００３８】
（３）ビームスプリッタＢＳ１から出射した第１、第２のレーザ光は、コリメータレンズＬ２に入射して、平行光に変換され、ミラーＭで反射されて、対物レンズＬ３によって光ディスクＤ上に集光される。例えば、第１のレーザ光はＤＶＤに第２のレーザ光はＣＤに集光される。
第１、第２のレーザ光のサイドビームの間隔がそれぞれの光ディスクＤのトラックピッチに対応しているので、光ディスクＤが偏芯している場合でもサイドビームが対象のトラックから大きく外れることがない。
【００３９】
（４）光ディスクＤで反射された第１、第２のレーザ光は対物レンズＬ３、ミラーＭ、コリメータレンズＬ２を経て、ビームスプリッタＢＳ１，ＢＳ２を透過する。
このとき、第１、第２のレーザ光それぞれのサイドビームは、その全光量がビームスプリッタＢＳ１，ＢＳ２を透過するのではなく、光量の一部がビームスプリッタＢＳ１，ＢＳ２で反射され、グレーティング２１を通過して、レーザダイオードＬＤ１，ＬＤ２に戻ってくる。
このとき、第１、第２のレーザ光のサイドビームの間隔をある程度大きくしていることから、レーザダイオードＬＤ１，ＬＤ２に第１、第２のレーザ光のサイドビームが入射することがなく、レーザダイオードＬＤ１，ＬＤ２と光ディスクＤ間でのレーザ光の干渉が防止される。
【００４０】
（４）ビームスプリッタＢＳ１，ＢＳ２を透過した第１、第２のレーザ光は、検出レンズＬ４を経て、フォトダイオードＰＤに入射する。第１、第２のレーザ光のメインビーム、サイドビームはフォトダイオードＰＤの受光領域Ａ１〜Ａ３に入射する。
このとき、第１、第２のレーザ光のサイドスポットＳＰ２１〜ＳＰ３２は受光領域Ａ２，Ａ３上の異なる位置に形成され、それぞれ式（１）、（２）に基づいて、ＤＰＰ信号Ｓ１，Ｓ２が生成され、光ピックアップ２０のトラッキング制御を行える。
レーザダイオードＬＤ１，ＬＤ２と光ディスクＤとの干渉が防止され、しかも光ディスクＤ上でのサイドスポットの間隔が光ディスクＤのトラックピッチに対応していることから、このＤＰＰ信号Ｓ１，Ｓ２が十分な強度を有し、Ｓ／Ｎ比が良好であることが確保される。
【００４１】
（第２実施形態）
本発明の第２の実施形態に係る光ディスク装置１０ａにつき説明する。光ディスク装置１０ａの全体的な構成は第１の実施形態と同様であるが、フォトダイオードＰＤの受光面上の受光領域のパターンが相違する。
図３は、本実施形態におけるフォトダイオードＰＤの受光面上の受光領域のパターンの１例を比較例と対比して表す模式図である。図３（Ａ）が本実施形態に対応し、図３（Ｂ）が比較例であり、いずれも差動非点収差法によるトラッキングエラー信号の生成が可能である。
【００４２】
図３（Ａ）に示されるように、本実施形態においても第１の実施形態と同様に、フォトダイオードＰＤの受光面Ａは第１、第２のレーザ光のメインビーム、２つのサイドビームにそれぞれ対応する受光領域Ａ１〜Ａ３を有する。受光領域Ａ２、Ａ３がそれぞれ６つの受光領域Ａ２１１〜Ａ２３２に、受光領域Ａ３が６つの受光領域Ａ３１１〜Ａ３３２にそれぞれ区分されていることが第１の実施形態と異なる。比較例においても同様に、受光領域Ｂ２、Ｂ３がそれぞれ６つの受光領域Ｂ２１１〜Ｂ２３２に、受光領域Ｂ３が６つの受光領域Ｂ３１１〜Ｂ３３２にそれぞれ区分されている。
このように受光領域Ａ２，Ａ３が第１の実施形態よりも細分化されている場合でも、第１の実施形態で示した式（１）、（２）を用いてＤＰＰ信号Ｓ１，Ｓ２を生成することができる。
【００４３】
受光領域Ａ２，Ａ３が細分化されていることで、差動非点収差方式でのフォーカスエラー信号Ｓｆを算出できる。即ち、第１、第２の波長のレーザ光それぞれでのフォーカスエラー信号Ｓｆ１，Ｓｆ２を次の式（４）、（５）により算出できる。
Ｓｆ１＝  ｛（Ｓ１１＋Ｓ１３）−（Ｓ１２＋Ｓ１４）｝
＋ｋ・｛（Ｓ２１２＋Ｓ２２１＋Ｓ２３１）−（Ｓ２１１＋Ｓ２２２＋Ｓ２３２）
＋（Ｓ３１１＋Ｓ３２２＋Ｓ３３２）−（Ｓ３１２＋Ｓ３２１＋Ｓ３３１）｝
…式（４）
Ｓｆ２＝  ｛（Ｓ１１＋Ｓ１３）−（Ｓ１２＋Ｓ１４）｝
＋ｋ・｛（Ｓ２１２＋Ｓ２２２＋Ｓ２３１）−（Ｓ２１１＋Ｓ２２１＋Ｓ２３２）
＋（Ｓ３１１＋Ｓ３２１＋Ｓ３３２）−（Ｓ３１２＋Ｓ３２２＋Ｓ３３１）}
…式（５）
ここで、Ｓｉｊｋ（ｉ、ｊ、ｋ＝１〜３）は図３（Ａ）に示す受光領域Ａｉｊｋそれぞれに入射するレーザ光に対応する信号量を表し、ｋは定数である。
【００４４】
（第３実施形態）
図４は本発明の第３の実施形態に係る光ディスク装置１０ｂを示す模式図である。
光ディスク装置１０ｂは、光ピックアップ２０ｂ，光ピックアップ駆動部３０を備え、規格の異なる複数の光ディスクＤ（ＣＤ（Compact Disc）、ＤＶＤ（Digital Versatile Disc）等）への情報の記録、再生）（書き込み、読み出し）を行う。
光ピックアップ２０ｂは、レーザダイオードＬＤ１，ＬＤ２、カップリングレンズＬ１，ビームスプリッタＢＳ１ｂ，ＢＳ２ｂ、グレーティング２１ｂ，コリメータレンズＬ２、ミラーＭ、対物レンズＬ３、アクチュエータ２３，検出レンズＬ４、フォトダイオードＰＤを有し、光ディスクＤからの情報の読み出しを行う。
【００４５】
本実施形態では、レーザダイオードＬＤ１，ＬＤ２から出射された第１、第２のレーザ光をビームスプリッタＢＳ１ｂにより合成した後にグレーティング２１ｂを通過させている。即ち、グレーティング２１ｂは第１、第２のレーザ光それぞれを３つのビームに分割するための共通のグレーティングである。
このとき、第１、第２のレーザ光それぞれのサイドビームの間隔は、第１、第２のレーザ光の波長（第１、第２の波長）に比例する。第１の波長が第２の波長よりも短いことから、第１の実施形態と同様に、フォトダイオードＰＤ上、および光ディスクＤ上で第１のレーザ光のサイドスポットの間隔は第２のレーザ光のサイドスポットの間隔よりも狭くなる。
即ち、本実施形態においても、サイドスポットの間隔は光ディスクＤのトラックピッチと対応することから、光ディスクＤ上、およびレーザダイオードＬＤ１，ＬＤ２上での第１、第２のレーザ光のサイドスポット（サイドビーム）の間隔を適切に設定することが容易になる。
【００４６】
なお、グレーティング２１ｂを用いず、レーザダイオードＬＤ１，ＬＤ２の直後にそれぞれに１つずつ（合計２つ）グレーティングを配置することもできる。この場合には、第１の実施形態と同様、２つのグレーティングそれぞれで第１、第２のレーザ光を分割することができる。
【００４７】
以上のように上記第１〜第３の実施形態では、光ディスクＤのトラックピッチに対応するように第１、第２のレーザ光それぞれのサイドビームの間隔を設定することが容易となる。この結果、トラックピッチの狭いＤＶＤが偏芯している場合でも精度の良いトラッキングが可能である。即ち、偏芯しているＤＶＤでのトラッキング精度を考慮しながら、ＣＤ（ＣＤＲ含む）での光学設計等を行える。
この結果、光ピックアップが光ディスクのトラックを正確に追随した状態で光ディスクへの記録、再生を行うことができる。
【００４８】
第１，第２のレーザ光それぞれに別個のグレーティングを配置する場合には、第１、第２のレーザ光のサイドビームの間隔を独立に決めることができる。このため、ＤＶＤとＣＤそれぞれでの最適設計が容易となる。
また、第１，第２のレーザ光で共通のグレーティングを配置する場合には、部品点数の削減、ひいてはより安価な光学ピックアップの提供が可能となる。
【図面の簡単な説明】
【００４９】
【図１】本発明の第１の実施形態に係る光ディスク装置を示す模式図である。
【図２】フォトダイオードの受光面上の受光領域のパターンの１例を比較例と対比して表す模式図である。
【図３】本発明の第１の実施形態に係る光ディスク装置でのフォトダイオードの受光面上の受光領域のパターンの１例を比較例と対比して表す模式図である。
【図４】本発明の第３の実施形態に係る光ディスク装置を示す模式図である。
【符号の説明】
【００５０】
１０    光ディスク装置
２０    光ピックアップ
２１、２２    グレーティング
２３    アクチュエータ
３０    光ピックアップ駆動部
ＢＳ１，ＢＳ２    ビームスプリッタ
Ｄ    光ディスク
Ｌ１    カップリングレンズ
Ｌ２    コリメータレンズ
Ｌ３    対物レンズ
Ｌ４    検出レンズ
ＬＤ１，ＬＤ２    レーザダイオード
Ｍ    ミラー
ＰＤ    フォトダイオード
【図１】
2005071505.tif 000003
【図２】
2005071505.tif 000004
【図３】
2005071505.tif 000005
【図４】
2005071505.tif 000006